(57)【要約】【課題】設定作業を容易（能率的）かつ的確に行えるようにするとともに、設定画面の多機能性及び利便性を向上させる。【解決手段】複数の設定値表示部２ａ〜２ｆにそれぞれ対応する設定値Ｄａ〜Ｄｆを数値表示するに際し、設定時に、当該設定時に使用しない設定値表示部（２ｅ，２ｆ）に、設定値として有効にならない参考値（Ｒｅ，Ｒｆ）を、当該設定時に使用する設定値表示部（２ａ〜２ｄ）における設定値（Ｄａ〜Ｄｄ）に対して異なる表示態様により表示する。この参考値（Ｒｅ，Ｒｆ）は、直前に表示された設定値（Ｄｅ，Ｄｆ）を用いることができる。【選択図】図１
2004155086.tif 000002
【特許請求の範囲】
【請求項１】
複数の設定値表示部にそれぞれ対応する設定値を数値表示する射出成形機の設定値表示方法において、設定時に、当該設定時に使用しない設定値表示部に、設定値として有効にならない参考値を、当該設定時に使用する設定値表示部における設定値に対して異なる表示態様により表示することを特徴とする射出成形機の設定値表示方法。
【請求項２】
前記設定値表示部には、所定の成形条件に対して多段設定する際における設定値を表示することを特徴とする請求項１記載の射出成形機の設定値表示方法。
【請求項３】
前記参考値は、直前に表示された設定値であることを特徴とする請求項１記載の射出成形機の設定値表示方法。
【請求項４】
前記参考値は、前記設定時に使用する設定値表示部に表示する設定値の表示濃度よりも薄い表示濃度により表示することを特徴とする請求項１又は３記載の射出成形機の設定値表示方法。
【請求項５】
前記参考値を表示する表示濃度のレベルは、任意に調整できることを特徴とする請求項４記載の射出成形機の設定値表示方法。
【発明の詳細な説明】
【０００１】
【発明の属する技術分野】
本発明は、複数の設定値表示部にそれぞれ対応する設定値を数値表示する際に用いて好適な射出成形機の設定値表示方法に関する。
【０００２】
【従来の技術】
一般に、射出成形機では充填速度等の所定の成形条件を多段設定する場合も多く、通常、コントローラに備えるディスプレイの設定画面には、複数の設定値表示部によって各段の設定値がそれぞれ順次数値表示される。
【０００３】
従来、このようなディスプレイを備えるコントローラとしては、既に、本出願人が提案した特開平５−１６２１８０号公報で開示される成形機コントローラが知られている。この成形機コントローラは、成形機の制御パラメータ等を設定するに必要な複数の入力項目と、この入力項目の指定等を行うために、各入力項目に対応した複数のタッチエリアを画面上に表示するディスプレイと、このタッチエリアに対応する部位にタッチ接点が設けられたタッチパネルと、成形条件等により、ディスプレイの画面上の入力不要な入力項目に対応するタッチエリアに入力不要を示す表示を行うとともに、入力不要を示す表示を行ったタッチエリアのタッチ接点を論理的に開放状態とする制御手段を設けたものである。
【特許文献１】
特開平５−１６２１８０号公報
【０００４】
【発明が解決しようとする課題】
ところで、この種のコントローラでは、例えば、充填速度を設定する設定画面の場合、６速の多段設定を行うことができる６つの設定値表示部を順次並べて配している。そして、設定時には、通常、設定段数と設定値を変更しながら試行錯誤的に設定作業を進める場合も多く、特に、設定値の変更に際しては、直前の設定値や隣接する設定値との相対的な比較においてどの程度に設定すべきかなどの判断も極めて重要になる。
【０００５】
一方、このような設定画面において、設定段数を５速以下にした場合には、使用しない設定値表示部が生じることになる。このため、従来の設定値表示方法では、使用しない設定値表示部を強制的にマスクし、誤って設定されることがないようにしていたが、この表示方法では、設定時における設定値のみが表示されることになり、設定作業を容易（能率的）かつ的確に行うとともに、多機能性及び利便性を確保するという観点からは十分と言えない課題も残されていた。
【０００６】
本発明は、このような従来の技術に存在する課題を解決したものであり、設定作業を容易（能率的）かつ的確に行えるとともに、加えて、設定画面の多機能性及び利便性を向上させることができる射出成形機の設定値表示方法の提供を目的とする。
【０００７】
【課題を解決するための手段及び実施の形態】
本発明に係る射出成形機Ｍの設定値表示方法は、複数の設定値表示部２ａ〜２ｆにそれぞれ対応する設定値Ｄａ〜Ｄｆを数値表示するに際し、設定時に、当該設定時に使用しない設定値表示部（２ｅ，２ｆ）に、設定値として有効にならない参考値（Ｒｅ，Ｒｆ）を、当該設定時に使用する設定値表示部（２ａ〜２ｄ）における設定値（Ｄａ〜Ｄｄ）に対して異なる表示態様により表示するようにしたことを特徴とする。
【０００８】
この場合、好適な実施の態様により、設定値表示部２ａ〜２ｆには、所定の成形条件に対して多段設定する際における設定値Ｄａ〜Ｄｆを表示することができる。また、参考値（Ｒｅ，Ｒｆ）は、直前に表示された設定値（Ｄｅ，Ｄｆ）を用いることができる。さらに、参考値（Ｒｅ，Ｒｆ）は、設定時に使用する設定値表示部（２ａ〜２ｄ）に表示する設定値（Ｄａ〜Ｄｄ）の表示濃度よりも薄い表示濃度により表示することができるとともに、参考値（Ｒｅ，Ｒｆ）を表示する表示濃度のレベルは、任意に調整することができる。
【０００９】
【実施例】
次に、本発明に係る好適な実施例を挙げ、図面に基づき詳細に説明する。
【００１０】
まず、本実施例に係る設定値表示方法を実施できる表示装置１の構成及びこの表示装置１を備える射出成形機Ｍの概略構成について、図２及び図３を参照して説明する。
【００１１】
図２中、仮想線で示すＭは射出成形機であり、機台Ｍｂと、この機台Ｍｂ上に設置された射出装置Ｍｉ及び型締装置Ｍｃを備える。射出装置Ｍｉは、加熱筒１０を備え、この加熱筒１０の前端に図に現れない射出ノズルを有するとともに、加熱筒１０の後部には材料を供給するホッパ１１を備える。一方、型締装置Ｍｃには可動型と固定型からなる金型１２を備える。また、機台Ｍｂ上には、起設した側面パネル１３を利用して表示装置１を配設する。この場合、表示装置１は、タッチパネル４を付設したディスプレイ３を有するディスプレイユニット２１と、このディスプレイユニット２１に接続する表示制御ユニット２２（図３）を含むため、ディスプレイユニット２１は側面パネル１３に配設するとともに、表示制御ユニット２２は機台Ｍｂに内蔵させる。
【００１２】
図３は、表示装置１の機能ブロック図を示す。表示制御ユニット２２は、図示しないＣＰＵ，ＲＯＭ，ＲＡＭ等を含むコンピュータにより構成され、ＨＭＩ（ヒューマン・マシン・インタフェース）プログラムにより機能する。このＨＭＩプログラムは、射出成形機Ｍの動作条件（成形条件）の設定や表示及び射出成形機Ｍの動作監視データの表示等を行うソフトウェアである。この表示制御ユニット２２には、画像表示データ処理部（制御部）２３、各種センサからの検出情報（検出データ），入出力情報及びアナログ情報等の各種情報を書き込むプロセスデータメモリ２４、各種画像データを記憶する画像データメモリ２５、動作条件（成形条件）等の各種設定データを記憶する設定データメモリ２６、タッチパネル４に接続した入力処理部２７、ディスプレイ３に接続した画像メモリ２８等が含まれる。この場合、ディスプレイ３としてはカラー表示可能なカラー液晶ディスプレイを用いることができる。
【００１３】
次に、本実施例に係る設定値表示方法に用いる設定画面の概要について、図４を参照して説明する。
【００１４】
図４は、ディスプレイ３に表示された射出・計量に係る設定画面Ｖａを示す。この設定画面Ｖａは、計量に係る設定値等を表示する計量設定欄３１，保圧に係る設定値等を表示する保圧設定欄３２，射出リミット圧に係る設定値等を表示する射出リミット圧設定欄３３，速度／圧力切換に係る設定値等を表示する切換設定欄３４などを有するとともに、本実施例に係る設定値表示方法により表示が行われる充填速度設定欄３５を有する。
【００１５】
また、設定画面Ｖａの上段と下段には、各種画面Ｖａ…を切換える画面項目毎に設けた複数の画面切換キーＫ１，Ｋ２，Ｋ３…を表示する。この画面切換キーＫ１，Ｋ２…は、使用頻度の高さを考慮してランク分けされ、上段に、型開閉画面切換キーＫ１，エジェクタ画面切換キーＫ２，射出・計量画面切換キーＫ３，温度画面切換キーＫ４，モニタ画面切換キーＫ５，主要条件画面切換キーＫ６，条件切換画面切換キーＫ７を有する成形機の動作条件の設定に係わる第一のグループＧａを横一列に配するとともに、下段に、これ以外となる段取り画面切換キーＫ８，工程監視画面切換キーＫ９，生産情報画面切換キーＫ１０，波形画面切換キーＫ１１，統計画面切換キーＫ１２…を有する第二のグループＧｂを横一列に配する。
【００１６】
各画面切換キーＫ１…は、設定画面Ｖａを他の画面に切換えた場合でも同様に表示される。例えば、図２は、工程監視画面切換キーＫ９を選択した場合の工程監視画面Ｖｂの概要を示すが、各画面切換キーＫ１…は、図４に示した設定画面Ｖａと同じ位置に同じ形状で表示される。なお、図４に表示される第二のグループＧｂは、第一階層が表示された状態であるが、画面右端の階層画面切換キーＫｃをタッチすることにより、第二階層における履歴画面切換キー，プログラム画面切換キー，信号レコーダ画面切換キー，診断画面切換キー等が、画面切換キーＫ８〜Ｋ１２…と入れ替わる形で同様に表示される。また、表示装置１は、画面切換キーＫ１…の配列をユーザサイドで任意に変更できる配列変更機能及び変更後の配列を記憶する配列記憶機能を備えている。これにより、ユーザ自身が使い勝手を考慮して画面切換キーＫ１…の配列（順番）を任意に変更することができる。このようなレイアウト表示により、各画面切換キーＫ１…に表示される名称表示を変更する場合でも、ソフトウェアにより容易に対処でき、変更に伴う工数の削減及びコストダウンを図れるとともに、各画面切換キーＫ１…に対する視認性及び操作性を高めることができる。
【００１７】
さらに、ディスプレイ３には、成形条件（動作条件）を設定するための少なくともテンキーＫｔを含む設定支援ボード４１をウィンドウ表示する。この設定支援ボード４１は、テンキーＫｔ，ファンクションキーＫｆ，確認表示部４２，設定範囲表示部４３及び設定項目表示部４４を有している。この設定支援ボード４１は、所定の設定キーをタッチすることにより自動で表示される。例えば、図４に示す設定画面Ｖａにおいて、射出工程に係る設定キーＫｉをタッチすれば、設定支援ボード４１が自動で表示され、かつ当該設定キーＫｉは点滅状態になる。この後、具体的な設定を行う設定キー、例えば、一段目保圧力を設定する設定キーＫｐをタッチすれば、設定支援ボード４１には対応する表示が行われる。具体的には、設定項目表示部４４に、一段目保圧力の設定である旨の「Ｐｐ１」が表示されるとともに、設定範囲表示部４３には、一段目保圧力の設定範囲として「２．４−２４３．０ＭＰａ」が表示され、さらに、確認表示部４２には、既に設定されている設定値が反転表示される。そして、テンキーＫｔ及びファンクションキーＫｆを用いて新しい設定値をタッチ入力すれば、確認表示部４２には、入力した数値（新設定値）「１００」が非反転表示される。この後、エンタキーＫｅをタッチすれば、正規の設定処理が行われる。この際、入力した設定値が設定範囲を外れていれば、設定項目表示部４４に、その旨のエラー表示が行われる。このような設定支援ボード４１により、成形条件（動作条件）の設定を確実に行うことができ、誤設定も回避される。
【００１８】
次に、本実施例に係る設定値表示方法について、図１〜図４を参照しつつ図５に示すフローチャートに従って説明する。
【００１９】
今、オペレータが、設定画面Ｖａにおける充填速度設定欄３５を利用して射出工程における充填速度を設定するものとする。図１は、図４に示す射出・計量に係る設定画面Ｖａにおける充填速度設定欄３５を抽出して示したものであり、（ａ）は４速により設定された充填速度設定欄３５を、また、（ｂ）は６速により設定された充填速度設定欄３５をそれぞれ示している。
【００２０】
この場合、充填速度設定欄３５は、充填速度を多段設定するための６つの設定値表示部２ａ，２ｂ，２ｃ，２ｄ，２ｅ，２ｆを有し、これらの設定値表示部２ａ…は横方向に順次並べて配される。各設定値表示部２ａ〜２ｆには、それぞれ対応する設定値Ｄａ，Ｄｂ，Ｄｃ，Ｄｄ，Ｄｅ，Ｄｆを表示可能である。また、設定値表示部２ａの上側には、一段目充填速度を示す「Ｖ１」の文字が表示されるとともに、設定値表示部２ａの下側には、スクリュが一段目充填速度に達した時点で点灯するインジケータ部７ａを有する。そして、この設定値表示部２ａには、一段目充填速度に対する設定値Ｄａが表示される。このような表示形式は、他の設定値表示部２ｂ〜２ｆにおいても同じであり、７ｂ〜７ｆは、各設定値表示部２ｂ〜２ｆに対応するインジケータ部を示す。さらに、充填速度設定欄３５には、設定段数を表示する段数表示部８及びスクリュの前進位置を表示するスクリュ前進位置表示欄９を有する。
【００２１】
この充填速度設定欄３５を用いて、オペレータが、最初に、充填速度を図１（ｂ）に示す６速に設定した場合を想定する（ステップＳ１）。図１（ｂ）は、設定値表示部２ａに一段目充填速度「５０．０」が、設定値表示部２ｂに二段目充填速度「１００．０」が、設定値表示部２ｃに三段目充填速度「１５０．０」が、設定値表示部２ｄに四段目充填速度「１００．０」が、設定値表示部２ｅに五段目充填速度「５０．０」が、設定値表示部２ｆに六段目充填速度「３０．０」がそれぞれ設定された場合を示し、通常の表示濃度により数値表示される。この場合、設定に際しては、各設定値表示部２ａ…が設定キーを兼ねているため、前述したように、任意の設定値表示部２ａ…をタッチした後、設定支援ボード４１を用いて設定値Ｄａを数値入力するとともに、入力が終了したならエンタキーＫｅをタッチすれば、入力された設定値Ｄａが対応する設定値表示部２ａ…に表示される。
【００２２】
一方、６速に対応した設定が終了したなら、この設定に基づく試し成形を行う（ステップＳ２）。この試し成形の結果、オペレータが良好な結果を得れないと判断し、次いで、充填速度を図１（ａ）に示す４速に設定変更した場合を想定する（ステップＳ３，Ｓ４）。図１（ａ）は、設定値表示部２ａに一段目充填速度「５０．０」が、設定値表示部２ｂに二段目充填速度「１００．０」が、設定値表示部２ｃに三段目充填速度「１５０．０」が、設定値表示部２ｄに四段目充填速度「１００．０」がそれぞれ設定された場合を示し、通常の表示濃度により数値表示される。また、この設定時に使用しない五段目と六段目の設定値表示部２ｅ，２ｆには、設定値として有効にならない参考値Ｒｅ，Ｒｆが、本実施例に係る設定値表示方法により表示される。
【００２３】
具体的には、図１（ｂ）に示す直前に設定された設定値Ｄｅ（「５０．０」）及びＤｆ（「３０．０」）が、それぞれ参考値Ｒｅ，Ｒｆとして表示される。この場合、参考値Ｒｅ，Ｒｆの表示濃度は、この設定時に使用している設定値表示部２ａ〜２ｄにおける設定値Ｄａ〜Ｄｄの表示濃度よりも薄い表示濃度、いわゆるうっすらとした状態に表示される（ステップＳ４）。また、設定値表示部２ｅ，２ｆの上側に表示される「Ｖ５」，「Ｖ６」の文字も、「Ｖ１」〜「Ｖ４」の表示濃度よりも薄い表示濃度により表示される。参考値Ｒｅ，Ｒｆの表示濃度を薄く表示することにより、表示の無い状態と同様に違和感の無い雰囲気を生じさせることができる。なお、参考値Ｒｅ，Ｒｆを表示する表示濃度のレベルは、任意に調整することができ、オペレータは、違和感の無い最も見やすい（認識しやすい）相対的な表示濃度を設定することができる。
【００２４】
このように、使用していない設定値表示部２ｅ，２ｆにおける表示濃度が、使用している設定値表示部２ａ〜２ｄにおける表示濃度よりも薄く表示されることにより、オペレータは、設定値表示部２ｅ，２ｆに表示されている数値が、直前に表示された設定値Ｄｅ，Ｄｆに係る参考値Ｒｅ，Ｒｆであることを認識できるとともに、４速に設定変更する際に、参考値Ｒｅ，Ｒｆ（設定値Ｄｅ，Ｄｆ）を参照することができる。
【００２５】
一方、４速に対応した設定変更が終了したなら、オペレータは、この設定変更に基づく試し成形を行う（ステップＳ５）。この試し成形の結果、オペレータが良好な結果を得れないと判断し、再度、６速に対応した設定に戻る場合を想定する。この場合、オペレータは、既に一度設定された６速に対応した設定値Ｄｅ，Ｄｆ（参考値Ｒｅ，Ｒｆ）を確認できるため、安心して６速に対する再設定を行うことができる（ステップＳ６，Ｓ１…）。
【００２６】
このように、本実施例に係る設定値表示方法によれば、設定時に、当該設定時に使用しない設定値表示部（２ｅ，２ｆ）に、設定値として有効にならない参考値（Ｒｅ，Ｒｆ）を、当該設定時に使用する設定値表示部（２ａ，２ｂ，２ｃ，２ｄ）における表示濃度よりも薄い表示濃度により表示するようにしたため、オペレータは、参考値（Ｒｅ，Ｒｆ）を参照しながら設定作業を容易（能率的）かつ的確に行うことができるとともに、加えて、設定画面Ｖａの多機能性及び利便性を向上させることができる。特に、実施例のように、設定値表示部２ａ…に、充填速度（所定の成形条件）に対して多段設定する際における設定値Ｄａ…を表示するとともに、参考値（Ｒｅ…）として直前に表示された設定値（Ｄｅ…）を表示するようにすれば、隣接する設定値や直前の設定値との相対的な比較においてどの程度に設定すべきかなどの判断を容易かつ的確に行うことができる。
【００２７】
以上、実施例について詳細に説明したが、本発明はこのような実施例に限定されるものではなく、細部の構成，配置，数量，手法等において、本発明の要旨を逸脱しない範囲で任意に変更，追加，削除することができる。例えば、実施例は、６つの設定値表示部２ａ…を例示したが、その数量は任意である。また、参考値（Ｒｅ…）として、直前に表示された設定値（Ｄｅ…）を例示したが、その他、設定値表示部（２ｅ…）における標準値や平均値等を参考値（Ｒｅ…）として表示することもできる。さらに、参考値（Ｒｅ，Ｒｆ）を、設定時に使用する設定値表示部（２ａ〜２ｄ）に表示する設定値（Ｄａ〜Ｄｄ）の表示濃度よりも薄い表示濃度により表示する場合を例示したが、必要により、輝度の低下，表示色の変更，白黒反転等の異なる表示態様により表示する場合を排除するものではない。一方、設定値表示部２ａ…に、所定の成形条件に対して多段設定する際における設定値Ｄａ…を表示する場合を例示したが、必ずしもこのような多段設定に限定されるものではない。
【００２８】
【発明の効果】
このように、本発明に係る射出成形機の設定値表示方法は、複数の設定値表示部にそれぞれ対応する設定値を数値表示するに際し、設定時に、当該設定時に使用しない設定値表示部に、設定値として有効にならない参考値を、当該設定時に使用する設定値表示部における設定値に対して異なる表示態様により表示するようにしたため、次のような顕著な効果を奏する。
【００２９】
（１）  参考値を参照しながら設定作業を容易（能率的）かつ的確に行うことができるとともに、加えて、設定画面の多機能性及び利便性を向上させることができる。
【００３０】
（２）  好適な実施の態様により、設定値表示部に、所定の成形条件に対して多段設定する際における設定値を表示するとともに、参考値として直前に表示された設定値を表示するようにすれば、特に、隣接する設定値や直前の設定値との相対的な比較においてどの程度に設定すべきかなどの判断を容易かつ的確に行うことができる。
【００３１】
（３）  好適な実施の態様により、参考値を、設定時に使用する設定値表示部に表示する設定値の表示濃度よりも薄い表示濃度により表示すれば、表示の無い状態と同様に違和感の無い雰囲気を生じさせることができる。
【００３２】
（４）  好適な実施の態様により、参考値を表示する表示濃度のレベルを、任意に調整できるようにすれば、オペレータにとって違和感の無い最も見やすい（認識しやすい）相対的な表示濃度を設定することができる。
【図面の簡単な説明】
【図１】本発明の好適な実施例に係る設定値表示方法により表示した設定値表示部の説明図、
【図２】同設定値表示方法の実施に用いる表示装置を備える射出成形機の概要図、
【図３】同表示装置の機能ブロック図、
【図４】同設定値表示方法により表示した設定値表示部を含む画面図、
【図５】同設定値表示方法を説明するための設定作業の一例を示すフローチャート、
【符号の説明】
２ａ…  設定値表示部
Ｍ      射出成形機
Ｄａ…  設定値
Ｒｅ…  参考値
【図１】
2004155086.tif 000003
【図２】
2004155086.tif 000004
【図３】
2004155086.tif 000005
【図４】
2004155086.tif 000006
【図５】
2004155086.tif 000007